(57)【特許請求の範囲】
【請求項１】
信号を送受信する第１のモードと、信号の受信のみを行う第２のモードとを具備する通信部と、
前記通信部が前記第２のモードの状態にて起動指示を受信した場合に該通信部を前記第１のモードに遷移させ、前記通信部が前記第１のモードの状態にて所定の条件が満たされた場合に該通信部を前記第２のモードに遷移させる状態遷移部と、
前記第２のモードから前記第１のモードに遷移した前記通信部が前記第２のモードに再度遷移した状態において前記起動指示を受信した場合、当該起動指示とともに受信した識別情報と、前記通信部が前記第２のモードから前記第１のモードに遷移した際に前記起動指示とともに受信した識別情報とが同一であるかどうかを判断する判断部とを有し、
前記状態遷移部は、前記判断部にて前記２つの識別情報が同一でないと判断された場合は、前記通信部を前記第２のモードから前記第１のモードに遷移させ、前記判断部にて前記２つの識別情報が同一であると判断された場合は、前記通信部を前記第２のモードから前記第１のモードに遷移させない、ＲＦＩＤタグ。
【請求項２】
請求項１に記載のＲＦＩＤタグを用いたＲＦＩＤシステムであって、
前記起動指示を、自身を識別可能な識別情報とともに送信する起動指示手段と、
前記通信部が前記第１のモードに遷移した前記ＲＦＩＤタグに対して、その後、前記通信部を前記第２のモードに遷移させるための遷移指示を送信する際に、前記通信部が前記第２のモードから前記第１のモードに遷移した際に前記起動指示とともに受信した識別情報を、前記通信部が前記第１のモードから前記第２のモードに遷移した状態にて前記起動指示とともに受信した場合に、前記通信部を前記第２のモードから前記第１のモードに遷移させない旨を指示する遷移禁止指示を送信するタグ通信手段とを有し、
前記状態遷移部は、前記通信部が前記第１のモードの状態にて前記遷移指示及び前記遷移禁止指示を受信した場合、前記遷移指示の受信によって前記所定の条件が満たされたものとして前記通信部を前記第２のモードに遷移させ、その後前記起動指示を受信した場合であっても、前記遷移禁止指示に従って、前記判断部において、当該起動指示とともに受信した識別情報と、前記通信部が前記第２のモードから前記第１のモードに遷移した際に受信した識別情報とが同一であると判断された場合は、前記通信部を前記第２のモードから前記第１のモードに遷移させない、ＲＦＩＤシステム。
【請求項３】
請求項２に記載のＲＦＩＤシステムにおいて、
前記タグ通信手段は、前記起動指示手段の識別情報を前記遷移禁止指示に含めて送信し、
前記判断部は、前記通信部が前記第１のモードから前記第２のモードに遷移した状態において前記起動指示を受信した場合、当該起動指示とともに受信した識別情報と、前記遷移禁止指示に含まれる識別情報とが同一であるかどうかを判断する、ＲＦＩＤシステム。
【請求項４】
請求項２に記載のＲＦＩＤシステムにおいて、
前記判断部は、前記通信部が前記第２のモードから前記第１のモードに遷移した際に前記起動指示とともに受信した識別情報を記憶部に記憶し、
前記タグ通信手段は、前記ＲＦＩＤタグに対して、前記通信部が前記第１のモードから前記第２のモードに遷移した状態にて前記起動指示を受信した場合、当該起動指示とともに受信した識別情報が、前記記憶部に記憶された識別情報と同一である場合に、前記通信部を前記第２のモードから前記第１のモードに遷移させない旨を前記遷移禁止指示として送信し、
前記判断部は、前記通信部が前記第１のモードから前記第２のモードに遷移した状態において前記起動指示を受信した場合、当該起動指示とともに受信した識別情報と、前記記憶部に記憶された識別情報とが同一であるかどうかを判断する、ＲＦＩＤシステム。
【発明の詳細な説明】
【技術分野】
【０００１】
本発明は、ＲＦＩＤタグ及びこれを用いたＲＦＩＤシステムに関し、特に、ＲＦＩＤタグが信号を送受信する第１のモードと、ＲＦＩＤタグが信号の受信のみを行う第２のモードとを、周囲環境や使用条件に応じて遷移する際の技術に関する。
【背景技術】
【０００２】
近年、情報化社会の進展に伴って、商品等に添付されるタグに情報を記録し、このタグを用いての商品等の管理が行われている。このようなタグを用いた情報管理においては、タグに対して非接触通信によって情報の書き込みや読み出しを行うことが可能なＲＦＩＤタグがその優れた利便性から急速な普及が進みつつある。
【０００３】
ＲＦＩＤタグとしては、小型化及び通信可能距離を確保するために、電源を内蔵して数十ｍ程度の長距離での通信が可能なアクティブ型のＲＦＩＤタグが用いられることが多い。このようなアクティブ型のＲＦＩＤタグは、リーダから送信されるトリガ信号を契機として信号の送受信を開始する（例えば、特許文献１参照）。そのため、ＲＦＩＤタグにてトリガ信号を受信可能な状態としておく必要があり、電源の消費が多くなってしまう。
【０００４】
そこで、ＲＦＩＤタグ側からイベント信号を定期的に送信し、このイベント信号を受信したリーダからの応答信号を受信することによって信号の送受信を開始することが考えられる。イベント信号の送信は、リーダからのトリガ信号を受信可能な状態としておく時間よりも短い設定で行うことができるため、ＲＦＩＤタグにおける電源の消費を少なくすることができる。
【０００５】
ところで、上述したようなＲＦＩＤタグを用いて管理される商品等は、航空機で空輸される等、電波の送信が禁止されているエリアを輸送される場合がある。その場合、上記のようにＲＦＩＤタグからイベント信号を定期的に送信することはできず、そのために、ＲＦＩＤタグを、信号を受信可能な状態としておくこととなり、電源の消費が多くなってしまう。
【０００６】
本出願人は、このような問題点に鑑みて、信号を送受信する通信部が、イベント信号を送信し、該イベント信号に対するコマンド信号を受信した場合に該コマンド信号に応じた情報を送信する第１のモードと、コマンド信号の受信のみを行う第２のモードとを有し、第２のモードにて第１のモードに遷移するためのコマンド信号を受信した場合に、第１のモードに遷移するＲＦＩＤタグを考え出した。この技術においては、信号を送受信するための通信部が、信号を送受信する第１のモードと、信号の受信のみを行う第２のモードとに遷移する構成であることにより、電波の送信が禁止されているエリアをＲＦＩＤタグが通過する場合には通信部を第２のモードとし、その他の場合には通信部を第１のモードとすることで、周囲環境や使用条件に応じて電源の消費を制御することができるようになる。
【先行技術文献】
【特許文献】
【０００７】
【特許文献１】特開２０１１−７６４７７号公報
【発明の概要】
【発明が解決しようとする課題】
【０００８】
上述したようなＲＦＩＤタグを用いて商品等の輸送状況を管理する場合、ＲＦＩＤタグを商品等に添付し、商品等の通過拠点において、ＲＦＩＤタグに書き込まれたＩＤを読み出すことにより、商品等がどの拠点を通過したかを管理することができる。そのため、商品等の通過拠点において、通信部を、信号を送受信する第１のモードにする必要がある。一方、商品等の輸送途中においては、上述したように商品等が電波の送信が禁止されているエリアを通過する場合があるため、通信部が、信号の受信のみを行う第２のモードになっている必要がある。
【０００９】
そのため、上述したＲＦＩＤタグを用いたシステムでは、商品等の通過拠点において、通信部が第２のモードとなっているＲＦＩＤタグに対して、通信部を第１のモードに遷移させるための起動指示をリーダから送信し、ＲＦＩＤタグがこの起動指示を受信することで、通信部を第２のモードから第１のモードに遷移させる仕組みとなっている。そして、商品等の通過拠点において、ＲＦＩＤタグに書き込まれたＩＤが読み出された後、リーダからの指示によって通信部が第２のモードに再度遷移し、その状態で商品等が通過拠点を出ていくことで、その後、商品等を、航空機で空輸する等、電波の送信が禁止されているエリアを輸送していくことができる。
【００１０】
しかしながら、商品等の通過拠点において、商品等に添付されたＲＦＩＤタグに対してＩＤの読み出しが完了し、通信部が第１のモードから第２のモードに再度遷移した場合でも、特に通過拠点が広い場合等において商品等が通過拠点に滞留した場合、リーダから送信された起動指示をＲＦＩＤタグが再度受信する場合がある。その場合、通信部が第２のモードから再度第１のモードに遷移し、その状態のまま通過拠点を出ていく可能性がある。通信部が第１のモードとなっている状態で商品等が通過拠点を出て行った場合、その後、商品等を、電波の送信が禁止されているエリアを輸送することができなくなってしまうという問題点がある。
【００１１】
本発明は、上述したような従来の技術が有する問題点に鑑みてなされたものであって、信号を送受信する第１のモードと、信号の受信のみを行う第２のモードとを具備し、第２のモードにて起動指示を受信した場合に第１のモードに遷移するＲＦＩＤタグ及びこれを用いたＲＦＩＤシステムにおいて、ＲＦＩＤタグが起動指示を受信することで第２のモードから第１のモードに遷移した後に再度第２のモードに遷移した状態にて同一の起動指示を受信した場合に再度第１のモードに遷移してしまうことを回避できるＲＦＩＤタグ及びこれを用いたＲＦＩＤシステムを提供することを目的とする。
【課題を解決するための手段】
【００１２】
上記目的を達成するために本発明は、
信号を送受信する第１のモードと、信号の受信のみを行う第２のモードとを具備する通信部と、
前記通信部が前記第２のモードの状態にて起動指示を受信した場合に該通信部を前記第１のモードに遷移させ、前記通信部が前記第１のモードの状態にて所定の条件が満たされた場合に該通信部を前記第２のモードに遷移させる状態遷移部と、
前記第２のモードから前記第１のモードに遷移した前記通信部が前記第２のモードに再度遷移した状態において前記起動指示を受信した場合、当該起動指示とともに受信した識別情報と、前記通信部が前記第２のモードから前記第１のモードに遷移した際に前記起動指示とともに受信した識別情報とが同一であるかどうかを判断する判断部とを有し、
前記状態遷移部は、前記判断部にて前記２つの識別情報が同一でないと判断された場合は、前記通信部を前記第２のモードから前記第１のモードに遷移させ、前記判断部にて前記２つの識別情報が同一であると判断された場合は、前記通信部を前記第２のモードから前記第１のモードに遷移させない。
【００１３】
上記のように構成された本発明においては、通信部において信号の受信のみを行う第２のモードの状態にて起動指示が受信されることで、通信部が信号を送受信する第１のモードに遷移し、その後、所定の条件が満たされたことで通信部が第２のモードに再度遷移した状態において起動指示が受信されると、この起動指示とともに受信された識別情報と、通信部が第２のモードから第１のモードに遷移した際に起動指示とともに受信された識別情報とが同一であるかどうかが判断され、これら２つの識別情報が同一でないと判断された場合は、通信部が第２のモードから第１のモードに遷移するものの、これら２つの識別情報が同一であると判断された場合は、通信部が第２のモードから第１のモードに遷移しないので、ＲＦＩＤタグが起動指示を受信することで通信部が第２のモードから第１のモードに遷移した後に再度第２のモードに遷移した状態にて同一の起動指示が受信された場合に、通信部が第１のモードに再度遷移してしまうことが回避される。それにより、商品等の通過拠点において、商品等に添付されたＲＦＩＤタグに対してＩＤの読み出しが完了し、通信部が第１のモードから第２のモードに再度遷移した後、ＲＦＩＤタグが起動指示を再度受信した場合であっても、通信部が第２のモードから第１のモードに再度遷移してしまうことがなくなり、通信部が信号を送受信する第１のモードとなった状態で通過拠点を出ていくことが回避される。
【００１４】
また、上記のように作用するＲＦＩＤタグは、
前記起動指示を、自身を識別可能な識別情報とともに送信する起動指示手段と、
前記通信部が前記第１のモードに遷移した前記ＲＦＩＤタグに対して、その後、前記通信部を前記第２のモードに遷移させるための遷移指示を送信する際に、前記通信部が前記第２のモードから前記第１のモードに遷移した際に前記起動指示とともに受信した識別情報を、前記通信部が前記第１のモードから前記第２のモードに遷移した状態にて前記起動指示とともに受信した場合に前記通信部を前記第２のモードから前記第１のモードに遷移させない旨を指示する遷移禁止指示を送信するタグ通信手段とを有するＲＦＩＤシステムにおいて用いられることが考えられ、その場合、
前記状態遷移部が、前記通信部が前記第１のモードの状態にて前記遷移指示及び前記遷移禁止指示を受信した場合、前記遷移指示の受信によって前記所定の条件が満たされたものとして前記通信部を前記第２のモードに遷移させ、その後、前記起動指示を受信した場合であっても、前記遷移禁止指示に従って、前記判断部において、当該起動指示とともに受信した識別情報と、前記通信部が前記第２のモードから前記第１のモードに遷移した際に受信した識別情報とが同一であると判断された場合は、前記通信部を前記第２のモードから前記第１のモードに遷移させないことになる。
【００１５】
また、上記のようなＲＦＩＤシステムは、
前記タグ通信手段が、前記起動指示手段の識別情報を前記遷移禁止指示に含めて送信し、
前記判断部が、前記通信部が前記第１のモードから前記第２のモードに遷移した状態において前記起動指示を受信した場合、当該起動指示とともに受信した識別情報と、前記遷移禁止指示に含まれる識別情報とが同一であるかどうかを判断する構成とすることが考えられる。
【００１６】
このような構成においては、タグ通信手段から送信される遷移禁止指示に、起動指示手段の識別情報が含まれていることにより、通信部が第２のモードから第１のモードに遷移した際にＲＦＩＤタグが起動指示とともに受信した識別情報を記憶しておく必要がない。
【００１７】
また、上記のようなＲＦＩＤシステムは、
前記判断部が、前記通信部が前記第２のモードから前記第１のモードに遷移した際に前記起動指示とともに受信した識別情報を記憶部に記憶し、
前記タグ通信手段が、前記ＲＦＩＤタグに対して、前記通信部が前記第１のモードから前記第２のモードに遷移した状態にて前記起動指示を受信した場合、当該起動指示とともに受信した識別情報が、前記記憶部に記憶された識別情報と同一である場合に、前記通信部を前記第２のモードから前記第１のモードに遷移させない旨を前記遷移禁止指示として送信し、
前記判断部が、前記通信部が前記第１のモードから前記第２のモードに遷移した状態において前記起動指示を受信した場合、当該起動指示とともに受信した識別情報と、前記記憶部に記憶された識別情報とが同一であるかどうかを判断する構成とすることが考えられる。
【００１８】
このような構成においては、タグ通信手段が、起動指示手段から起動指示とともに送信される識別情報を把握しておく必要がなくなり、汎用性を高めることができる。
【発明の効果】
【００１９】
本発明によれば、通信部が起動指示を受信することで、信号の受信のみを行う第２のモードから、信号を送受信する第１のモードに遷移した後に第２のモードに再度遷移した状態にて起動指示を受信した場合、その起動指示とともに受信した識別情報が、通信部が第２のモードから第１のモードに遷移した際に起動指示とともに受信した識別情報と同一である場合は、通信部が第２のモードから第１のモードに遷移しない構成としたため、起動指示を受信することで通信部が第２のモードから第１のモードに遷移した後に第２のモードに再度遷移した状態にて同一の起動指示を受信した場合に第１のモードに再度遷移してしまうことを回避できる。
【００２０】
また、起動指示を、自身を識別可能な識別情報とともに送信する起動指示手段と、通信部が第１のモードに遷移したＲＦＩＤタグに対して、その後、通信部を第２のモードに遷移させるための遷移指示を送信する際に、通信部が第２のモードから第１のモードに遷移した際に起動指示とともに受信した識別情報を、通信部が第１のモードから第２のモードに遷移した状態にて起動指示とともに受信した場合に通信部を第２のモードから第１のモードに遷移させない旨を指示する遷移禁止指示を送信するタグ通信手段とを有するＲＦＩＤシステムにおいて、タグ通信手段が、起動指示手段の識別情報を遷移禁止指示に含めて送信し、判断部が、通信部が第１のモードから第２のモードに遷移した状態において起動指示を受信した場合、この起動指示とともに受信した識別情報と、遷移禁止指示に含まれる識別情報とが同一であるかどうかを判断するものにおいては、タグ通信手段から送信される遷移禁止指示に、起動指示手段の識別情報が含まれていることにより、通信部が第２のモードから第１のモードに遷移した際に起動指示とともに受信した識別情報を記憶しておく必要がない。
【００２１】
また、上記ＲＦＩＤシステムにおいて、判断部が、通信部が第２のモードから第１のモードに遷移した際に起動指示とともに受信した識別情報を記憶部に記憶し、タグ通信手段が、ＲＦＩＤタグに対して、通信部が第１のモードから第２のモードに遷移した状態にて起動指示を受信した場合、この起動指示とともに受信した識別情報が、記憶部に記憶された識別情報と同一である場合に、通信部を第２のモードから前記第１のモードに遷移させない旨を遷移禁止指示として送信し、判断部が、通信部が第１のモードから第２のモードに遷移した状態において起動指示を受信した場合、この起動指示とともに受信した識別情報と、記憶部に記憶された識別情報とが同一であるかどうかを判断するものにおいては、タグ通信手段が、起動指示手段から起動指示とともに送信される識別情報を把握しておく必要がなくなり、汎用性を高めることができる。
【図面の簡単な説明】
【００２２】
【図１】本発明のＲＦＩＤシステムの第１の実施の形態を示す図である。
【図２】図１に示したアクティブ通信部が有するモードにおけるＲＦＩＤタグの動作を説明するための図である。
【図３】図１に示したＲＦＩＤタグを用いて管理される物品の一例を示す図である。
【図４】図３に示した保冷箱を管理するシステム環境の一例を示す図である。
【図５】図４に示したシステム環境において図３に示した保冷箱を管理する場合におけるＲＦＩＤタグの状態の変化を説明するための図である。
【図６】図１に示したアクティブ通信部のサイレント１モードにおけるウェイクアップコマンドの受信動作を説明するための図である。
【図７】図１に示したアクティブ通信部のノーマルモードにおける信号の送受信動作を説明するための図である。
【図８】図１に示したアクティブ通信部のノーマルモードにおける温度ログデータの送受信動作を説明するための図である。
【図９】図３に示した保冷箱が通過拠点に搬入された際の詳細な処理を説明するためのフローチャートである。
【図１０】本発明のＲＦＩＤシステムの第２の実施の形態を示す図である。
【図１１】図１０に示したＲＦＩＤシステムが、図４に示した通過拠点に採用された場合における詳細な処理を説明するためのフローチャートである。
【発明を実施するための形態】
【００２３】
以下に、本発明の実施の形態について図面を参照して説明する。
【００２４】
（第１の実施の形態）
図１は、本発明のＲＦＩＤシステムの第１の実施の形態を示す図である。
【００２５】
本形態におけるＲＦＩＤシステムは図１に示すように、ＲＦＩＤタグ１０と、ウェイクアップリーダ７１と、タグ検出リーダ７２とから構成されている。
【００２６】
ＲＦＩＤタグ１０は、電源となる電池１１と、２つのアンテナ１２，１３と、アクティブ通信部１４と、パッシブ通信部１５と、制御用マイコン１６と、インタフェース部１７と、メモリ１８とを有している。
【００２７】
電池１１は、アルカリ電池やニッケル電池等、適宜なものを使用でき、ＲＦＩＤタグ１０全体の電源となるものである。
【００２８】
アンテナ１２は、２．４５ＧＨｚやＵＨＦ帯（８６０〜９６０ＭＨｚ）のような無線方式ＲＦＩＤにおいてウェイクアップリーダ７１やタグ検出リーダ７２から送信された電波に共振することにより、ウェイクアップリーダ７１やタグ検出リーダ７２との間にて信号を送受信するためのものである。
【００２９】
アンテナ１３は、コイル形状を有し、１３．５６ＭＨｚの周波数帯を用いて非接触通信を行うものであって、非接触通信における電磁誘導によって電流が流れて起電力が生じ、その起電力による電源をパッシブ通信部１５に供給し、リーダ（不図示）との間にて信号を送受信するためのものである。
【００３０】
アクティブ通信部１４は、本願発明における通信部となるものである。アクティブ通信部１４は、電池１１によって駆動し、信号を変復調して２．４５ＧＨｚやＵＨＦ帯のような無線方式ＲＦＩＤにてアンテナ１２を介した非接触通信によってウェイクアップリーダ７１やタグ検出リーダ７２との間で信号を送受信するものであって、３つのモードを有している。
【００３１】
パッシブ通信部１５は、アンテナ１３から供給された電源によって駆動し、信号を変復調して１３．５６ＭＨｚの周波数帯にてアンテナ１３を介した非接触通信によってリーダ（不図示）との間で信号を送受信する。すなわち、パッシブ通信部１５は、非接触通信によってアンテナ１３に生じた起電力で駆動する。
【００３２】
制御用マイコン１６は、アクティブ通信部１４及びパッシブ通信部１５における信号の送受信に応じた制御を行うものであって、状態遷移部１６ａと、判断部１６ｂとを有している。
【００３３】
状態遷移部１６ａは、ウェイクアップリーダ７１やタグ検出リーダ７２から送信されてきたコマンドによってアクティブ通信部１４のモードを遷移させる。
【００３４】
判断部１６ｂは、ウェイクアップリーダ７１から起動指示となるウェイクアップコマンドとともに送信されてきた識別情報となるウェイクアップリーダ７１自身のＩＤと、タグ検出リーダ７２から送信されてきた遷移禁止指示に含まれるＩＤとが同一であるかどうかを判断する。
【００３５】
インタフェース部１７は、接続された外部装置とのインタフェースを司るものである。
【００３６】
メモリ１８は、本願発明における記憶部となるものであって、ＲＦＩＤタグ１０のタグＩＤや、インタフェース部１７を介して外部装置から取得した情報を記憶し、また、タグ検出リーダ７２から送信されてきた遷移禁止指示に含まれるＩＤを記憶する。
【００３７】
ウェイクアップリーダ７１は、本願発明における起動指示手段となるものであって、アンテナ２１と、通信部２２と、制御部２３と、メモリ２４とを有している。
【００３８】
通信部２２は、ウェイクアップコマンドをアンテナ２１を介して定期的に送信する。その際、通信部２２は、ウェイクアップリーダ７１自身のＩＤをウェイクアップコマンドとともにアンテナ２１を介して送信する。そして、通信部２２が、これらウェイクアップコマンド及びＩＤを、２．４５ＧＨｚやＵＨＦ帯のような無線方式ＲＦＩＤにて送信することで、ウェイクアップリーダ７１から送信されたウェイクアップコマンド及びＩＤは、アンテナ１２を介してアクティブ通信部１４にて受信されることとなる。
【００３９】
制御部２３は、通信部２２からのウェイクアップコマンドの送信間隔を制御したり、ウェイクアップリーダ７１のＩＤをメモリ２４から読み出し、ウェイクアップコマンドとともに通信部２２及びアンテナ２１を介して送信したりする。
【００４０】
タグ検出リーダ７２は、本願発明におけるタグ通信手段となるものであって、アンテナ３１と、通信部３２と、制御部３３と、メモリ３４とを有している。
【００４１】
通信部３２は、ＲＦＩＤタグ１０との間にてアンテナ３１を介して非接触通信を行う。その際、通信部３２は、２．４５ＧＨｚやＵＨＦ帯のような無線方式ＲＦＩＤにて非接触通信を行うことで、ＲＦＩＤタグ１０のアクティブ通信部１４との間にて非接触通信を行うことになる。また通信部３２は、アクティブ通信部１４のモードを遷移させるための遷移指示となる遷移コマンドを送信したり、ウェイクアップリーダ７１から送信されたウェイクアップコマンドをＲＦＩＤタグ１０が受信した場合でも、ＲＦＩＤタグ１０がウェイクアップコマンドを無視する旨を指示する遷移禁止指示となるコマンドを送信したりする。
【００４２】
制御部３３は、通信部３２からのコマンドの送信を制御したり、非接触通信を行うＲＦＩＤタグ１０のタグＩＤを通信部３２を介して読み出したりする。また、制御部３３は、通信部３２から遷移禁止指示となるコマンドを送信する際、ウェイクアップリーダ７１のＩＤをメモリ３４から読み出し、遷移禁止指示に含めて通信部３２から送信する。
【００４３】
ここで、アクティブ通信部１４が有する３つのモードについて説明する。
【００４４】
図２は、図１に示したアクティブ通信部１４が有するモードにおけるＲＦＩＤタグ１０の動作を説明するための図である。
【００４５】
図２に示すように、図１に示したアクティブ通信部１４は、第１のモードとなるノーマルモードと、第２のモードとなるサイレント１モードと、サイレント２モードとを有している。
【００４６】
ノーマルモードにおいては、アクティブ通信部１４は、アンテナ１２を介しての非接触通信のきっかけとなるイベント信号を定期的に送信する。ウェイクアップリーダ７１やタグ検出リーダ７２からのコマンド信号の間欠受信は行わないものの、イベント信号の送信直後においてイベント信号に対する応答信号をアンテナ１２を介して受信する。そして、この応答信号が、情報の送信を要求するコマンド信号である場合、受信したコマンド信号に応じた情報を送信する。
【００４７】
サイレント１モードにおいては、アクティブ通信部１４は、イベント信号の送信は行わず、ウェイクアップリーダ７１から送信されたコマンド信号となるウェイクアップコマンドをアンテナ１２を介して間欠受信する。
【００４８】
サイレント２モードにおいては、アクティブ通信部１４は、イベント信号の送信もコマンド信号の間欠受信も行わない。
【００４９】
また、アクティブ通信部１４が上記３つのモードのいずれの場合においても、パッシブ通信部１５は、非接触通信によってアンテナ１３に生じた起電力によって駆動するため、アンテナ１３を介して常時アクセスが可能となっており、アンテナ１３を介してコマンド信号を受信することができる。
【００５０】
以下に、上述したＲＦＩＤタグ１０を用いた物品管理について説明する。
【００５１】
図３は、図１に示したＲＦＩＤタグ１０を用いて管理される物品の一例を示す図である。
【００５２】
図３に示すように、図１に示したＲＦＩＤタグ１０は保冷箱５の管理に用いることができる。この場合、ＲＦＩＤタグ１０は、例えば、温度センサ２、開閉センサ３及び表示装置４がインタフェース部１７を介して接続された状態で保冷箱５の外側面に取り付けられる。
【００５３】
温度センサ２は、保冷箱５の内部に設置され、保冷箱５内部の温度を検知する。なお、保冷箱５の内部が複数の領域に仕切られ、複数の領域が互いに異なる温度に設定される場合は、これら複数の領域毎に温度センサ２が設置される。
【００５４】
開閉センサ３は、例えば光センサ等からなり、保冷箱５の内部に設置され、光を検知することによって、保冷箱５を開梱した操作を検出する。
【００５５】
表示装置４は、例えばＬＣＤや電子ペーパー等からなり、温度センサ２にて検知された温度を表示する。
【００５６】
なお、ＲＦＩＤタグ１０には、これら温度センサ２、開閉センサ３及び表示装置４の他にも、外気温を検知する外気温センサや衝撃センサ等、任意のものを接続することができ、これらによって検知された情報を、インタフェース部１７を介してＲＦＩＤタグ１０にて取得することができる。
【００５７】
図４は、図３に示した保冷箱５を管理するシステム環境の一例を示す図である。
【００５８】
以下に、図４に示すように、図３に示した保冷箱５が出庫拠点６０から通過拠点７０に搬送され、通過拠点７０を保冷箱５が通過したことが管理された後、入庫拠点８０に搬送され、入庫拠点８０において保冷箱５の温度ログデータが収集され、その後、保冷箱５が再び出庫拠点６０に戻される場合の管理方法について説明する。
【００５９】
保冷箱５が出庫される出庫拠点６０には、ＲＦＩＤタグ１０との間にて非接触通信によって信号の送受信をすることで情報を読み出すリーダ６１と、データセンタ９０に接続可能な通信装置６２とが配置されている。
【００６０】
保冷箱５が通過する通過拠点７０には、図１に示したウェイクアップリーダ７１及びタグ検出リーダ７２と、データセンタ９０に接続可能な通信装置７３とが配置されている。
【００６１】
保冷箱５が入庫される入庫拠点８０には、通過拠点７０に配置されたウェイクアップリーダ７１及びタグ検出リーダ７２と同等の機能を有するウェイクアップリーダ８１及びタグ検出リーダ８２と、データセンタ９０に接続可能な通信装置８３とが配置されている。
【００６２】
データセンタ９０は、保冷箱５の輸送状況を管理する拠点であって、通信装置６２，７３，８３と接続可能な通信装置９１が設けられるとともに、保冷箱５の輸送状況が記憶されるデータベース９２を有している。
【００６３】
図５は、図４に示したシステム環境において図３に示した保冷箱５を管理する場合におけるＲＦＩＤタグ１０の状態の変化を説明するための図である。
【００６４】
図３に示した保冷箱５は出庫拠点６０から出庫される。なお、ＲＦＩＤタグ１０のアクティブ通信部１４は初期状態としてサイレント２モードとなっている（ステップ１）。サイレント２モードにおいては、アクティブ通信部１４は信号の送受信を行っていないため電源がほとんど消費されない。また、温度センサ２において保冷箱５の内部の温度が逐次検知され、この温度データがＲＦＩＤタグ１０に送信されている。ＲＦＩＤタグ１０においては、温度センサ２から送信されてきた温度データがインタフェース部１７を介して受信され、制御用マイコン１６の制御によって温度ログデータとしてメモリ１８に記憶されていく。また、温度センサ２にて検知された温度は表示装置４に表示される。
【００６５】
アクティブ通信部１４がサイレント２モードとなっているＲＦＩＤタグ１０に対して、出庫拠点６０に設けられたリーダ６１からサイレント１モードに遷移するための遷移指示となる遷移コマンドが送信されると、この遷移コマンドがアンテナ１３にて受信されることで電磁誘導が生じ、この電磁誘導によってアンテナ１３に電流が流れてアンテナ１３に起電力が生じる。アンテナ１３に生じた起電力による電源はパッシブ通信部１５に供給され、パッシブ通信部１５が駆動し、リーダ６１から送信された遷移コマンドがパッシブ通信部１５にて受信される（ステップ２）。このように、サイレント２モードにおいては、アクティブ通信部１４が信号の送受信を行っていないものの、パッシブ通信部１５が、遷移コマンドがアンテナ１３にて受信された際の電磁誘導によってアンテナ１３に生じた起電力で駆動するため、リーダ６１から送信された遷移コマンドを受信することができる。
【００６６】
すると、制御用マイコン１６の状態遷移部１６ａの制御によって、パッシブ通信部１５にて受信された遷移コマンドに応じて、アクティブ通信部１４がサイレント１モードに遷移する（ステップ３）。
【００６７】
その後、保冷箱５が出庫拠点６０から出庫される際、保冷箱５に添付された作業票（不図示）に表示された二次元コード等のコード情報が読み取られて通信装置６２から送信され、このコード情報がデータセンタ９０の通信装置９１にて受信されることにより、データセンタ９０において、受信したコード情報によって識別される保冷箱５がそのコード情報の送信時刻に出庫拠点６０から出庫されたことがデータベース９２に登録されて管理される。なお、保冷箱５が出庫拠点６０から出庫される際、出庫拠点６０のリーダ６１によって、保冷箱５に取り付けられたＲＦＩＤタグ１０のメモリ１８に記憶されたタグＩＤが読み出され、このタグＩＤがデータセンタ９０の通信装置９１に送信されることにより、データセンタ９０において、リーダ６１から送信されてきたタグＩＤによって識別されるＲＦＩＤタグ１０が取り付けられた保冷箱５がそのタグＩＤの送信時刻に出庫拠点６０から出庫されたことがデータベース９２に登録されて管理されることも考えられる。その場合、ＲＦＩＤタグ１０は、後述する通過拠点７０や入庫拠点８０と同様に、サイレント１モードからノーマルモードに遷移し、ノーマルモードの状態においてイベント信号の送信によってタグＩＤが読み出されることとなる。
【００６８】
出庫拠点６０から保冷箱５が出庫された状態においては、アクティブ通信部１４がサイレント１モードとなっていることで、コマンド信号の間欠受信が行われているものの、イベント信号の送信が行われていないため、アンテナ１２を介して電波が送信されていない。そのため、出庫拠点６０から出庫された保冷箱５が、例えば航空機で空輸される場合等、電波の送信が禁止されているエリアを通過する場合でも問題はない。
【００６９】
出庫拠点６０から出庫された保冷箱５は、入庫拠点８０に搬送される前に、通過拠点７０を通過し、その旨がデータセンタ９０にて管理されることになる。
【００７０】
出庫拠点６０から出庫された保冷箱５が通過拠点７０に搬送された状態においては、保冷箱５に取り付けられたＲＦＩＤタグ１０のアクティブ通信部１４は、サイレント１モードとなっている（ステップ４）。
【００７１】
アクティブ通信部１４がサイレント１モードとなっているＲＦＩＤタグ１０に対して、通過拠点７０に設けられたウェイクアップリーダ７１から起動指示であるウェイクアップコマンドが送信されると、このウェイクアップコマンドがアンテナ１２を介してアクティブ通信部１４にて受信される（ステップ５）。
【００７２】
図６は、図１に示したアクティブ通信部１４のサイレント１モードにおけるウェイクアップコマンドの受信動作を説明するための図である。
【００７３】
サイレント１モードにおいては、アクティブ通信部１４は図６に示すように、コマンド信号の間欠受信を行っており、受信状態となっている区間において、ウェイクアップリーダ７１から送信されたウェイクアップコマンド１０１が受信されることになる。
【００７４】
ウェイクアップコマンド１０１は、アクティブ通信部１４をノーマルモードに遷移させるためのコマンド信号であり、ウェイクアップリーダ７１を識別可能な識別情報となるＩＤとともにウェイクアップリーダ７１から送信される。
【００７５】
そして、アクティブ通信部１４にてウェイクアップコマンドが受信されると、このウェイクアップコマンドとともに送信されてきたＩＤがメモリ１８に記憶されたＩＤと同一ではない場合（ステップ６）、制御用マイコン１６の状態遷移部１６ａの制御によって、アクティブ通信部１４がノーマルモードに遷移する（ステップ７）。
【００７６】
この際の詳細な処理については後述する。
【００７７】
アクティブ通信部１４がノーマルモードに遷移すると、メモリ１８に記憶されたタグＩＤが制御用マイコン１６によって読み出され、アクティブ通信部１４を介してタグ検出リーダ７２に送信される。タグ検出リーダ７２に送信されたタグＩＤは、通信装置７３を介してデータセンタ９０に送信され、このタグＩＤがデータセンタ９０の通信装置９１にて受信されることにより、データセンタ９０において、受信したタグＩＤによって識別されるＲＦＩＤタグ１０が取り付けられた保冷箱５がそのタグＩＤの送信時刻に通過拠点７０を通過したことがデータベース９２に登録されて管理される。
【００７８】
その後、アクティブ通信部１４がノーマルモードとなっているＲＦＩＤタグ１０に対して、タグ検出リーダ７２から、サイレント１モードに遷移するための遷移コマンドが送信されると、この遷移コマンドがアンテナ１２を介してアクティブ通信部１４にて受信される（ステップ８）。
【００７９】
図７は、図１に示したアクティブ通信部１４のノーマルモードにおける信号の送受信動作を説明するための図である。
【００８０】
ノーマルモードにおいては、アクティブ通信部１４は図７に示すように、アンテナ１２を介しての非接触通信のきっかけとなるイベント信号１０２を定期的に送信しており、リーダからのコマンド信号の間欠受信は行わないものの、イベント信号１０２の送信直後の一定区間においては受信状態となっており、この受信状態においてイベント信号１０２に対する応答信号１０３がアンテナ１２を介して受信される。そのため、応答信号１０３として、非接触通信を行うためのコマンド信号や、サイレント１モードに遷移するための遷移コマンドを受信することができる。なお、制御用マイコン１６によってメモリ１８から読み出されたタグＩＤは、イベント信号１０２に含まれてタグ検出リーダ７２に送信されることになる。
【００８１】
すると、制御用マイコン１６の状態遷移部１６ａの制御によって、アクティブ通信部１４にて受信された遷移コマンドに応じて、アクティブ通信部１４がサイレント１モードに遷移する（ステップ９）。
【００８２】
アクティブ通信部１４がサイレント１モードに遷移した後、保冷箱５が通過拠点７０から出庫される。この際、通過拠点７０から保冷箱５が出庫された状態においては、アクティブ通信部１４がサイレント１モードとなっていることで、コマンド信号の間欠受信が行われているものの、イベント信号の送信が行われていないため、アンテナ１２を介して電波が送信されていない。そのため、通過拠点７０から出庫された保冷箱５が、例えば航空機で空輸される場合等、電波の送信が禁止されているエリアを通過する場合でも問題はない。
【００８３】
通過拠点７０から出庫された保冷箱５は、その後、入庫拠点８０に搬入される。この状態においては、保冷箱５に取り付けられたＲＦＩＤタグ１０のアクティブ通信部１４は、サイレント１モードとなっている（ステップ１０）。
【００８４】
アクティブ通信部１４がサイレント１モードとなっているＲＦＩＤタグ１０に対して、入庫拠点８０に設けられたウェイクアップリーダ８１からウェイクアップコマンドが送信されると、このウェイクアップコマンドがアンテナ１２を介してアクティブ通信部１４にて受信される（ステップ１１）。
【００８５】
アクティブ通信部１４にてウェイクアップコマンドが受信されると、制御用マイコン１６の状態遷移部１６ａの制御によって、アクティブ通信部４がノーマルモードに遷移する（ステップ１２）。
【００８６】
そして、アクティブ通信部１４がノーマルモードとなっているＲＦＩＤタグ１０に対して、入庫拠点８０に設けられたタグ検出リーダ８２から、メモリ１８に記憶された温度ログデータを要求するためのコマンド信号が送信され、このコマンド信号がアンテナ１２を介してアクティブ通信部１４にて受信される。
【００８７】
図８は、図１に示したアクティブ通信部１４のノーマルモードにおける温度ログデータの送受信動作を説明するための図である。
【００８８】
上述したように、ノーマルモードにおいては、アクティブ通信部１４はイベント信号を定期的に送信しており、リーダからのコマンド信号の間欠受信は行わないものの、イベント信号の送信直後の一定区間においては受信状態となっている。そのため、図８に示すように、この受信状態において、イベント信号に対して、メモリ１８に記憶された温度ログデータを要求するためのセンサログ要求コマンド１０４をアンテナ１２を介して受信することができる。
【００８９】
センサログ要求コマンド１０４がＲＦＩＤタグ１０にて受信されると、コマンド応答信号１０５がアクティブ通信部１４からタグ検出リーダ８２に送信された後、制御用マイコン１６の制御によってアクティブ通信部１４にて信号の送受信に用いるチャンネルが温度ログデータを送信するためのチャンネルに切り替えられるとともに、タグ検出リーダ８２においても信号の送受信に用いるチャンネルが温度ログデータを受信するためのチャンネルに切り替えられる。
【００９０】
そして、制御用マイコン１６において、メモリ１８に記憶された温度データのログが読み出され、アクティブ通信部１４を介してタグ検出リーダ８２に送信される（ステップ１３）。
【００９１】
メモリ１８に記憶された温度データのログの送信が完了すると、アクティブ通信部１４からコマンド応答信号１０５がタグ検出リーダ８２に送信され、制御用マイコン１６の制御によってアクティブ通信部１４にて信号の送受信に用いるチャンネルがイベント信号を送信するためのチャンネルに切り替えられるとともに、タグ検出リーダ８２においても信号の送受信に用いるチャンネルがイベント信号を受信するためのチャンネルに切り替えられる。
【００９２】
また、ノーマルモードにてＲＦＩＤタグ１０から送信されるイベント信号に、制御用マイコン１６によってメモリ１８から読み出されたタグＩＤが含まれているため、データセンタ９０において、ＲＦＩＤタグ１０から送信されてきたイベント信号に含まれているタグＩＤによって識別されるＲＦＩＤタグ１０が取り付けられた保冷箱５がそのタグＩＤの送信時刻に入庫拠点８０に入庫されたこと、及び保冷箱５の内部の温度の履歴がデータベース９２に登録されて管理される。
【００９３】
その後、アクティブ通信部１４がノーマルモードとなっているＲＦＩＤタグ１０に対して、タグ検出リーダ８２から、サイレント２モードに遷移するための遷移コマンドが送信されると、この遷移コマンドがアンテナ１２を介してアクティブ通信部１４にて受信される（ステップ１４）。
【００９４】
すると、制御用マイコン１６の状態遷移部１６ａの制御によって、アクティブ通信部１４にて受信されたコマンド信号に応じて、アクティブ通信部１４がサイレント２モードに遷移する（ステップ１５）。
【００９５】
このようにして開梱された保冷箱５は、アクティブ通信部１４がサイレント２モードになった状態で出庫拠点６０に戻されていく。保冷箱５が入庫拠点８０から出庫拠点６０に戻されていく行程においては、ＲＦＩＤタグ１０に対して非接触通信を行わないため、アクティブ通信部１４をサイレント２モードに設定しておくことができ、それにより、電源がほとんど消費されない状態とすることができる。
【００９６】
以下に、上述した通過拠点７０における処理について詳細に説明する。
【００９７】
図９は、図３に示した保冷箱５が通過拠点７０に搬入された際の詳細な処理を説明するためのフローチャートである。
【００９８】
保冷箱５が搬入される通過拠点７０に設けられたウェイクアップリーダ７１においては、上述したように、ウェイクアップコマンドがウェイクアップリーダ７１自身のＩＤとともに通信部２２からアンテナ２１を介して定期的に送信されている（ステップ２１）。
【００９９】
保冷箱５が通過拠点７０に搬入される際は、保冷箱５に取り付けられたＲＦＩＤタグ１０のアクティブ通信部１４がサイレントモード１になっているため、保冷箱５が通過拠点７０に搬入されると、保冷箱５に取り付けられたＲＦＩＤタグ１０のアクティブ通信部１４にてウェイクアップコマンドとウェイクアップリーダ７１のＩＤとが受信されることになる（ステップ２２）。
【０１００】
するとまず、ＲＦＩＤタグ１０の制御用マイコン１６において、ＩＤの照合が行われる（ステップ２３）。制御用マイコン１６の判断部１６ｂにおいて、ウェイクアップコマンドを無視する旨を指示する遷移禁止指示に含まれていたＩＤがメモリ１８に記憶されているかどうかが判断され（ステップ２４）、ＩＤがメモリ１８に記憶されていると判断された場合、メモリ１８に記憶されたＩＤと、ステップ２２にてウェイクアップコマンドとともに受信されたＩＤとが同一であるかどうかが判断部１６ｂにて判断される（ステップ２５）。なお、メモリ１８へのＩＤの記憶は、後述するようにＲＦＩＤタグ１０とタグ検出リーダ７２との間の非接触通信が完了した後にタグ検出リーダ７２から送信された遷移禁止指示に含まれるＩＤがＲＦＩＤタグ１０にて受信された際に行われるため、ＲＦＩＤタグ１０が遷移禁止指示をまだ受信していない状態においては、メモリ１８にＩＤは記憶されていない。
【０１０１】
そして、メモリ１８に記憶されたＩＤと、ステップ２２にてウェイクアップコマンドとともに受信されたＩＤとが同一ではないと判断された場合は、ウェイクアップコマンドに従って状態遷移部１６ａの制御によって、アクティブ通信部１４がノーマルモードに遷移する（ステップ２６）。
【０１０２】
アクティブ通信部１４がノーマルモードに遷移すると、アクティブ通信部１４からイベント信号がアンテナ１２を介して定期的に送信される（ステップ２７）。この際、上述したように、制御用マイコン１６の制御によってメモリ１８からタグＩＤが読み出され、イベント信号に含まれて送信される。
【０１０３】
ＲＦＩＤタグ１０から送信されたイベント信号がタグ検出リーダ７２にて受信されると（ステップ２８）、タグ検出リーダ７２の制御部３３の制御によって、イベント信号に対する応答信号が通信部３２及びアンテナ３１を介して送信される（ステップ２９）。
【０１０４】
そして、この応答信号がＲＦＩＤタグ１０のアクティブ通信部１４にて受信されることにより（ステップ３０）、ＲＦＩＤタグ１０とタグ検出リーダ７２との間にて非接触通信が開始される（ステップ３１，３２）。
【０１０５】
その後、ＲＦＩＤタグ１０とタグ検出リーダ７２との間における非接触通信が完了すると、タグ検出リーダ７２においては、ＲＦＩＤタグ１０をサイレント１モードに遷移させるための遷移指示となる遷移コマンドが通信部３２から送信されるとともに、ウェイクアップリーダ７１から送信されたウェイクアップコマンドをＲＦＩＤタグ１０が再度受信した場合でも、ＲＦＩＤタグ１０がウェイクアップコマンドを無視する旨を指示する遷移禁止指示となるコマンドが通信部３２から送信される（ステップ３３）。この際、上述したように、タグ検出リーダ７２においては、ウェイクアップリーダ７１のＩＤがメモリ３４に記憶されており、このＩＤが遷移禁止指示に含められて通信部３２から送信されることになる。
【０１０６】
タグ検出リーダ７２から送信された遷移禁止指示がＲＦＩＤタグ１０にて受信されると（ステップ３４）、ＲＦＩＤタグ１０の制御用マイコン１６の制御によって、遷移禁止指示に含まれるＩＤがメモリ１８に記憶される（ステップ３５）。なお、メモリ１８にＩＤが既に記憶されている場合は、ＩＤが上書きされることで、ＲＦＩＤタグ１０が現在滞留している通過拠点７０に設けられたウェイクアップリーダ７１のＩＤがメモリ１８に記憶されることになる。
【０１０７】
また、タグ検出リーダ７２から送信された遷移コマンドがＲＦＩＤタグ１０にて受信されると、制御用マイコン１６の状態遷移部１６ａの制御によって、アクティブ通信部１４がサイレント１モードに遷移する（ステップ３６）。
【０１０８】
その後、保冷箱５が通過拠点７０に滞留した場合等において、ウェイクアップリーダ７１から送信されたウェイクアップコマンドがＲＦＩＤタグ１０にて再度受信されると、ウェイクアップコマンドとともにウェイクアップリーダ７１から送信されたウェイクアップリーダ７１のＩＤがメモリ１８に記憶されているため、判断部１６ｂにおいて、メモリ１８に記憶されたＩＤと、ウェイクアップコマンドとともに受信されたＩＤとが同一であると判断されることになる。すなわち、ウェイクアップコマンドとともにＲＦＩＤタグ１０にて受信されたＩＤと、ＲＦＩＤタグ１０がサイレント１モードからノーマルモードに遷移した際にウェイクアップコマンドとともにＲＦＩＤタグ１０にて受信されたＩＤとが同一ということになる。
【０１０９】
その場合、ウェイクアップリーダ７１から送信されたウェイクアップコマンドがＲＦＩＤタグ１０にて再度受信されても、状態遷移部１６ａの制御によって、ＲＦＩＤタグ１０がノーマルモードに遷移せず、サイレント１モードのままとなる。
【０１１０】
なお、アクティブ通信部１４がノーマルモードに遷移した場合でも、通過拠点７０において、メモリ１８に記憶された温度データのログ等、ＲＦＩＤタグ１０からタグ検出リーダ７２に送信すべきデータがない場合は、ステップ２９〜３２の処理は行われず、タグ検出リーダ７２において、イベント信号が受信された場合に、遷移指示となる遷移コマンドと、遷移禁止指示となるコマンドとが送信されることになる。
【０１１１】
このように本形態においては、ＲＦＩＤタグ１０のアクティブ通信部１４が、コマンド信号の受信のみを行うサイレント１モードの状態において、ウェイクアップリーダ７１から送信されたウェイクアップコマンドがＲＦＩＤタグ１０にて受信されることで、アクティブ通信部１４が、イベント信号の送信及びその応答信号を受信するノーマルモードに遷移し、ノーマルモードにてＲＦＩＤタグ１０とタグ検出リーダ７２との間における非接触通信が完了した後、タグ検出リーダ７２から送信された遷移コマンドがＲＦＩＤタグ１０にて受信されたことでアクティブ通信部１４がサイレント１モードに遷移した状態においてウェイクアップコマンドがＲＦＩＤタグ１０にて受信されると、このウェイクアップコマンドとともに受信されたウェイクアップリーダ７１のＩＤと、アクティブ通信部１４がサイレント１モードからノーマルモードに遷移した際にウェイクアップコマンドとともに受信され、タグ検出リーダ７２から送信された遷移禁止指示に含まれるＩＤとが同一であるかどうかが判断される。そして、これら２つのＩＤが同一であると判断された場合は、アクティブ通信部１４がサイレント１モードからノーマルモードに遷移しないので、ＲＦＩＤタグ１０がウェイクアップコマンドを受信することでアクティブ通信部１４がサイレント１からノーマルモードに遷移した後に再度サイレント１モードに遷移した状態にて同一のウェイクアップリーダ７１から送信されたウェイクアップコマンドがＲＦＩＤタグ１０にて受信された場合に、アクティブ通信部１４がノーマルモードに再度遷移してしまうことが回避される。それにより、保冷箱５の通過拠点７０において、保冷箱５に取り付けられたＲＦＩＤタグ１０に対してタグＩＤの読み出しが完了し、アクティブ通信部１４がノーマルモードからサイレント１モードに再度遷移した後、ウェイクアップリーダ７１から送信されたウェイクアップコマンドがＲＦＩＤタグ１０にて再度受信された場合であっても、アクティブ通信部１４がサイレント１モードからノーマルモードに再度遷移してしまうことがなくなり、アクティブ通信部１４が、イベント信号の送信及び応答信号の受信をするノーマルモードとなった状態で通過拠点７０を出ていくことが回避される。また、ＲＦＩＤタグ１０にてウェイクアップコマンドが再度受信された場合に、アクティブ通信部１４をサイレント１モードからノーマルモードに遷移させないために、ＲＦＩＤタグ１０をノーマルモードからサイレント１モードに遷移させる遷移コマンドとともにタグ検出リーダ７２から送信される遷移禁止指示にウェイクアップリーダ７１のＩＤが含められて送信されることにより、ＲＦＩＤタグ１０が、ウェイクアップコマンドを受信することでサイレント１モードからノーマルモードに遷移した際に、ウェイクアップコマンドとともに受信したＩＤを記憶しておく必要がない。
【０１１２】
（第２の実施の形態）
図１０は、本発明のＲＦＩＤシステムの第２の実施の形態を示す図である。
【０１１３】
本形態におけるＲＦＩＤシステムは図１０に示すように、第１の実施の形態にて示したものに対して、タグ検出リーダ１７２においてウェイクアップリーダ１７１のＩＤを記憶しておくためのメモリが設けられておらず、また、判断部１１６ｂが、ウェイクアップリーダ１７１からウェイクアップコマンドとともに送信されてきたウェイクアップリーダ１７１のＩＤメモリ１１８に記憶し、タグ検出リーダ１７２から送信される遷移禁止指示にウェイクアップリーダ１７１のＩＤが含まれていない点が異なるものである。
【０１１４】
上記のように構成されたＲＦＩＤシステムにおいても、第１の実施の形態にて示したものと同様に、図４に示したシステム環境において図３に示した保冷箱５の管理に適用することができる。その場合のＲＦＩＤタグ１１０の状態の変化は、第１の実施の形態にて図５を用いて示したものと同様であるため、ここでの説明は省略する。
【０１１５】
以下に、図１０に示したＲＦＩＤシステムが、図４に示した通過拠点７０に採用された場合における処理について説明する。すなわち、図４に示したウェイクアップリーダ７１及びタグ検出リーダ７２として、図１０に示したウェイクアップリーダ１７１及びタグ検出リーダ１７２が採用された場合における処理について説明する。
【０１１６】
図１１は、図１０に示したＲＦＩＤシステムが、図４に示した通過拠点７０に採用された場合における詳細な処理を説明するためのフローチャートである。
【０１１７】
保冷箱５が搬入される通過拠点７０に図１０に示したウェイクアップリーダ１７１が設けられた構成においても、ウェイクアップリーダ１７１においては、ウェイクアップコマンドがウェイクアップリーダ１７１自身のＩＤとともに通信部１２２からアンテナ１２１を介して定期的に送信されている（ステップ１２１）。
【０１１８】
保冷箱５が通過拠点７０に搬入される際は、保冷箱５に取り付けられたＲＦＩＤタグ１１０のアクティブ通信部１１４がサイレントモード１になっているため、保冷箱５が通過拠点７０に搬入されると、保冷箱５に取り付けられたＲＦＩＤタグ１１０のアクティブ通信部１１４にてウェイクアップコマンドとウェイクアップリーダ１７１のＩＤとが受信されることになる（ステップ１２２）。
【０１１９】
するとまず、ＲＦＩＤタグ１１０の制御用マイコン１１６において、ＩＤの照合が行われる（ステップ１２３）。制御用マイコン１１６の判断部１１６ｂにおいて、ウェイクアップリーダのＩＤがメモリ１１８に記憶されているかどうかが判断され（ステップ１２４）、ウェイクアップリーダのＩＤがメモリ１１８に記憶されていると判断された場合は、メモリ１１８に記憶されたＩＤと、ステップ１２２にてウェイクアップコマンドとともに受信されたＩＤとが同一であるかどうかが判断部１１６ｂにて判断される（ステップ１２５）。
【０１２０】
そして、ウェイクアップリーダのＩＤがメモリ１１８に記憶されていないと判断された場合や、メモリ１１８に記憶されたＩＤと、ステップ１２２にてウェイクアップコマンドとともに受信されたＩＤとが同一ではないと判断された場合、判断部１１６ｂの制御によって、ステップ１２２にてウェイクアップコマンドとともに受信されたＩＤがメモリ１１８に記憶され（ステップ１２６）、その後、ウェイクアップコマンドに従って状態遷移部１１６ａの制御によって、アクティブ通信部１１４がノーマルモードに遷移する（ステップ１２７）。
【０１２１】
アクティブ通信部１１４がノーマルモードに遷移すると、アクティブ通信部１１４からイベント信号がアンテナ１１２を介して定期的に送信される（ステップ１２８）。この際、上述したように、制御用マイコン１１６の制御によってメモリ１１８からタグＩＤが読み出され、イベント信号に含まれて送信される。
【０１２２】
ＲＦＩＤタグ１１０から送信されたイベント信号がタグ検出リーダ１７２にて受信されると（ステップ１２９）、タグ検出リーダ１７２の制御部１３３の制御によって、イベント信号に対する応答信号が通信部１３２及びアンテナ１３１を介して送信される（ステップ１３０）。
【０１２３】
そして、この応答信号がＲＦＩＤタグ１１０のアクティブ通信部１１４にて受信されることにより（ステップ１３１）、ＲＦＩＤタグ１１０とタグ検出リーダ１７２との間にて非接触通信が開始される（ステップ１３２，１３３）。
【０１２４】
その後、ＲＦＩＤタグ１１０とタグ検出リーダ１７２との間における非接触通信が完了すると、タグ検出リーダ１７２においては、ＲＦＩＤタグ１１０をサイレント１モードに遷移させるための遷移指示となる遷移コマンドが通信部１３２から送信されるとともに、ウェイクアップリーダ１７１から送信されたウェイクアップコマンドをＲＦＩＤタグ１１０が再度受信した場合でも、そのウェイクアップコマンドとともに受信したＩＤが、メモリ１１８に記憶されたＩＤと同一である場合にＲＦＩＤタグ１１０がウェイクアップコマンドを無視する旨を指示する遷移禁止指示となるコマンドが通信部１３２から送信される（ステップ１３４）。
【０１２５】
タグ検出リーダ１７２から送信された遷移禁止指示及び遷移コマンドがＲＦＩＤタグ１１０にて受信されると（ステップ１３５）、制御用マイコン１１６の状態遷移部１１６ａの制御によって、アクティブ通信部１１４がサイレント１モードに遷移する（ステップ１３６）。
【０１２６】
その後、保冷箱５が通過拠点７０に滞留した場合等において、ウェイクアップリーダ１７１から送信されたウェイクアップコマンドがＲＦＩＤタグ１１０にて再度受信されると、ウェイクアップコマンドとともにウェイクアップリーダ１７１から送信されたウェイクアップリーダ１７１のＩＤがメモリ１１８に記憶されているため、判断部１１６ｂにおいて、メモリ１１８に記憶されたＩＤと、ウェイクアップコマンドとともに受信されたＩＤとが同一であると判断されることになる。すなわち、ウェイクアップコマンドとともにＲＦＩＤタグ１１０にて受信されたＩＤと、ＲＦＩＤタグ１１０がサイレント１モードからノーマルモードに遷移した際にウェイクアップコマンドとともにＲＦＩＤタグ１１０にて受信されたＩＤとが同一ということになる。
【０１２７】
その場合、ウェイクアップリーダ１７１から送信されたウェイクアップコマンドがＲＦＩＤタグ１１０にて再度受信されても、状態遷移部１１６ａの制御によって、ＲＦＩＤタグ１１０がノーマルモードに遷移せず、サイレント１モードのままとなる。
【０１２８】
なお、アクティブ通信部１１４がノーマルモードに遷移した場合でも、通過拠点７０において、メモリ１１８に記憶された温度データのログ等、ＲＦＩＤタグ１１０からタグ検出リーダ１７２に送信すべきデータがない場合は、ステップ１３０〜１３３の処理は行われず、タグ検出リーダ７２において、イベント信号が受信された場合に、遷移指示となる遷移コマンドと、遷移禁止指示となるコマンドとが送信されることになる。
【０１２９】
このように本形態においては、ＲＦＩＤタグ１１０のアクティブ通信部１１４が、コマンド信号の受信のみを行うサイレント１モードの状態において、ウェイクアップリーダ１７１から送信されたウェイクアップコマンドがＲＦＩＤタグ１１０にて受信された場合に、アクティブ通信部１１４が、イベント信号の送信及びその応答信号を受信するノーマルモードに遷移するとともに、ウェイクアップコマンドとともにウェイクアップリーダ１７１から送信されたウェイクアップリーダ１７１のＩＤがＲＦＩＤタグ１１０のメモリ１１８に記憶される。そして、ノーマルモードにてＲＦＩＤタグ１１０とタグ検出リーダ１７２との間における非接触通信が完了した後、タグ検出リーダ１７２から送信された遷移コマンドがＲＦＩＤタグ１１０にて受信されたことでアクティブ通信部１１４がサイレント１モードに遷移した状態においてウェイクアップコマンドがＲＦＩＤタグ１１０にて受信されると、このウェイクアップコマンドとともに受信されたウェイクアップリーダ１７１のＩＤと、アクティブ通信部１１４がサイレント１モードからノーマルモードに遷移した際にウェイクアップコマンドとともに受信され、メモリ１１８に記憶されたＩＤとが同一であるかどうかが判断される。そして、これら２つのＩＤが同一であると判断された場合は、アクティブ通信部１１４がサイレント１モードからノーマルモードに遷移しないので、ＲＦＩＤタグ１１０がウェイクアップコマンドを受信することでアクティブ通信部１１４がサイレント１からノーマルモードに遷移した後に再度サイレント１モードに遷移した状態にて同一のウェイクアップリーダ１７１から送信されたウェイクアップコマンドがＲＦＩＤタグ１１０にて受信された場合に、アクティブ通信部１１４がノーマルモードに再度遷移してしまうことが回避される。それにより、保冷箱５の通過拠点７０において、保冷箱５に取り付けられたＲＦＩＤタグ１１０に対してタグＩＤの読み出しが完了し、アクティブ通信部１１４がノーマルモードからサイレント１モードに再度遷移した後、ウェイクアップリーダ１７１から送信されたウェイクアップコマンドがＲＦＩＤタグ１１０にて再度受信された場合であっても、アクティブ通信部１１４がサイレント１モードからノーマルモードに再度遷移してしまうことがなくなり、アクティブ通信部１１４が、イベント信号の送信及び応答信号の受信をするノーマルモードとなった状態で通過拠点７０を出ていくことが回避される。また、ＲＦＩＤタグ１１０がウェイクアップコマンドによってサイレント１モードからノーマルモードに遷移した際に、そのウェイクアップコマンドとともにＲＦＩＤタグ１１０にて受信されたウェイクアップリーダのＩＤがメモリ１１８に記憶され、その後、ＲＦＩＤタグ１１０にてウェイクアップコマンドが受信された場合に、このウェイクアップコマンドとともに受信されたＩＤとメモリ１１８に記憶されたＩＤとが同一である場合に、ＲＦＩＤタグ１１０にてウェイクアップコマンドが受信された場合であっても、アクティブ通信部１１４をサイレント１モードからノーマルモードに遷移させない構成とすることにより、タグ検出リーダ１７２がウェイクアップリーダ１７１のＩＤを認識しておく必要がなく、汎用性を高めることができる。
【０１３０】
なお、上述した２つの実施の形態においては、本発明におけるウェイクアップリーダ及びタグ検出リーダを、通過拠点７０に設けられたウェイクアップリーダ７１，１７１及びタグ検出リーダ７２，１７２に採用した場合を例に挙げて説明したが、入庫拠点８０において、センサログが収集された後、ＲＦＩＤタグ１０，１１０がノーマルモードからサイレント１モードに遷移するものである場合、入庫拠点８０に設けられたウェイクアップリーダ８１及びタグ検出リーダ８２に採用してもよい。
【０１３１】
また、上述した２つの実施の形態においては、アクティブ通信部１４，１１４がノーマルモードの状態にて、ノーマルモードからサイレント１モードに遷移する遷移コマンドを受信した場合、所定の条件が満たされたものとしてアクティブ通信部１４，１１４が、サイレント１モードに遷移しているが、アクティブ通信部１４，１１４がノーマルモードに遷移してから所定の時間が経過したり、保冷箱５に対する所定の操作が行われたりすることで所定の条件が満たされたものとすることも考えられる。
【符号の説明】
【０１３２】
２    温度センサ
３    開閉センサ
４    表示装置
５    保冷箱
１０，１１０    ＲＦＩＤタグ
１１，１１１    電池
１２，１３，２１，３１，１１２，１１３，１２１，１３１    アンテナ
１４，１１４    アクティブ通信部
１５，１１５    パッシブ通信部
１６，１１６    制御用マイコン
１６ａ，１１６ａ    状態遷移部
１６ｂ，１１６ｂ    判断部
１７，１１７    インタフェース部
１８，２４，３４，１１８，１２４    メモリ
２２，３２    通信部
２３，３３    制御部
６０    出庫拠点
６１    リーダ
６２，７３，８３，９１    通信装置
７０    通過拠点
７１，８１    ウェイクアップリーダ
７２，８２    タグ検出リーダ
８０    入庫拠点
９０    データセンタ
９２    データベース
１０１    ウェイクアップコマンド
１０２    イベント信号
１０３    応答信号
１０４    センサログ要求コマンド
１０５    コマンド応答信号
【図１】
0006422397.tif 000002
【図２】
0006422397.tif 000003
【図３】
0006422397.tif 000004
【図４】
0006422397.tif 000005
【図５】
0006422397.tif 000006
【図６】
0006422397.tif 000007
【図７】
0006422397.tif 000008
【図８】
0006422397.tif 000009
【図９】
0006422397.tif 000010
【図１０】
0006422397.tif 000011
【図１１】
0006422397.tif 000012